(57)【要約】【課題】  管理端末で無線ＬＡＮ端末の存在有無を監視すると同時に、無線ＬＡＮ端末側で防犯を行うことを可能とする無線ＬＡＮ端末盗難防止システム及び方法を提供すること。【解決手段】  無線ＬＡＮ端末１と無線ＬＡＮアクセスポイント５を有し、無線ＬＡＮ端末１が、無線ＬＡＮアクセスポイント５の電波強度が所定の閾値を下回るか否か監視し、前記電波強度の値が前記所定の閾値を下回った場合には無線ＬＡＮ端末１に対して警告信号を送出する電波強度監視部２を含む。無線ＬＡＮ端末１はＩＤ入力部４を有し、ＩＤ入力部４は前記警告信号を受け無線ＬＡＮ端末１の画面にユーザＩＤ入力画面を表示させる。【選択図】  図１
2008219833.tif 000002
【特許請求の範囲】
【請求項１】
無線ＬＡＮ端末と、該無線ＬＡＮ端末と無線ＬＡＮネットワークで接続された無線ＬＡＮアクセスポイントを有する無線ＬＡＮシステムにおいて、
前記無線ＬＡＮ端末は、
前記無線ＬＡＮアクセスポイントの電波強度が所定の閾値を下回るか否か監視し、前記電波強度の値が前記所定の閾値を下回った場合には前記無線ＬＡＮ端末に対して警告信号を送出する電波強度監視手段を含む
ことを特徴とする無線ＬＡＮ端末盗難防止システム。
【請求項２】
前記無線ＬＡＮ端末はＩＤ入力部を有し、該ＩＤ入力部は前記警告信号を受け前記無線ＬＡＮ端末の画面にユーザＩＤ入力画面を表示させることを特徴とする請求項１記載の無線ＬＡＮ端末盗難防止システム。
【請求項３】
前記無線ＬＡＮ端末は警告音発生手段を有し、前記ＩＤ入力部は、前記所定の閾値を下回った場合であって前記ＩＤ入力部に前記ユーザＩＤの入力がなかった場合若しくはユーザＩＤと異なるＩＤが入力された場合にのみ前記警告音発生手段に警告音発生信号を送出し、前記警告音発生手段は当該警告音発生信号を受信すると激しい警告音を発生させることを特徴とする請求項２記載の無線ＬＡＮ端末盗難防止システム。
【請求項４】
前記無線ＬＡＮアクセスポイントに接続された管理端末を有し、
前記電波強度監視手段は、前記電波強度の値が前記所定の閾値を下回った場合、前記無線ＬＡＮアクセスポイントを介して前記管理端末に対して盗難警告通知信号を送出することを特徴とする請求項３記載の無線ＬＡＮ端末盗難防止システム。
【請求項５】
無線ＬＡＮ端末と、該無線ＬＡＮ端末と無線ＬＡＮネットワークで接続された無線ＬＡＮアクセスポイントを有する無線ＬＡＮシステムにおける無線ＬＡＮ端末盗難防止方法において、
前記無線ＬＡＮアクセスポイントの電波強度が所定の閾値を下回るか否か監視するステップと、
前記電波強度の値が前記所定の閾値を下回った場合には前記無線ＬＡＮ端末に対して警告信号を送出するステップ
を有することを特徴とする無線ＬＡＮ端末盗難防止方法。
【請求項６】
前記無線ＬＡＮ端末のＩＤ入力部が前記警告信号を受けると前記無線ＬＡＮ端末の画面にユーザＩＤ入力画面を表示させるステップを有することを特徴とする請求項５記載の無線ＬＡＮ端末盗難防止方法。
【請求項７】
前記所定の閾値を下回った場合であって、前記ＩＤ入力部に、前記ユーザＩＤの入力がなかった場合若しくは前記ユーザＩＤと異なるＩＤが入力された場合にのみ前記警告音発生信号を送出するステップと、
前記警告音発生信号を受信すると激しい警告音を発生させるステップ
を有することを特徴とする請求項６記載の無線ＬＡＮ端末盗難防止方法。
【請求項８】
前記電波強度の値が前記所定の閾値を下回った場合、前記無線ＬＡＮアクセスポイントを介して管理端末に盗難警告通知信号を送出するステップを有することを特徴とする請求項７記載の無線ＬＡＮ端末盗難防止方法。
【発明の詳細な説明】
【技術分野】
【０００１】
本発明は、無線ＬＡＮを使用するネットワークにおいて携帯可能で企業や顧客情報などの秘密情報が格納されている無線ＬＡＮ端末の盗難を未然に防止するシステムに関し、特に無線ＬＡＮ端末がネットワークに構成される無線ＬＡＮアクセスポイントの電波レベルを常に監視することで盗難を抑止する機能を有する無線ＬＡＮ端末盗難防止システム及び方法に関する。
【背景技術】
【０００２】
従来から、オフィスや教育機関等に設置されたパソコン（ＰＣ）やプリンタ等の端末機器について、盗難を防止するための措置が取られて来た。しかし、最近の動向としては、大規模なＬＡＮを構築することが多く、夜間や休日に設置した室を施錠するだけでは十分とは言えず、各ＰＣにも盗難防止策が必要とされている。例えば、各ＰＣにシャフトや鎖を用いて机に固定したり、盗難防止ブザーを施したりといったことが挙げられる。しかし、シャフトや鎖で固定した場合でも、工具を使えばＰＣを取り外すことができるし、盗難防止ブザーも近くに警備員がいない場合、効を奏さないという不具合があった。
【０００３】
これに対して、以下の特許文献１によれば、「パソコン機器設置場所でサイレン音を発すると同時に離れた場所に設置した盗難監視装置に盗難発生場所と盗難機器を自動通報するので短時間で現場に急行できる」という方法が開示されている。また、以下の特許文献２によれば、分散型ＬＡＮを監視、診断するという方法が開示されている。
【０００４】
【特許文献１】特開平９−２７０８７号公報
【特許文献２】特開２０００−６７３７号公報
【発明の開示】
【発明が解決しようとする課題】
【０００５】
従来の技術では、容易に持ち運びが可能な無線ＬＡＮ端末において管理サーバのみの監視では対処が遅れ、システムのエリア外に持ち出されてしまうと検索不可能となってしまう。
【０００６】
また、無線ＬＡＮ端末をかばんなどに仕舞い込んで外へ持ち出そうとする場合は、盗難を検知してもその場で犯人の究明が不可能であった。
【０００７】
また、無線ＬＡＮ端末を電波遮蔽ケースに仕舞い込まれ無線ＬＡＮ端末と無線ＬＡＮアクセスポイントの接続が 絶たれた場合、無線ＬＡＮ端末の電源断か盗難の判断ができなかった。
【０００８】
本発明の目的は、管理端末で無線ＬＡＮ端末の存在有無を監視すると同時に、無線ＬＡＮ端末側で防犯を行うことを可能とする無線ＬＡＮ端末盗難防止システム及び方法を提供することである。
【課題を解決するための手段】
【０００９】
上記課題を解決するために、本件発明は、以下の特徴を有する課題を解決するための手段を採用している。
【００１０】
本発明の第１の態様による無線ＬＡＮ端末盗難防止システムは、無線ＬＡＮ端末と、該無線ＬＡＮ端末と無線ＬＡＮネットワークで接続された無線ＬＡＮアクセスポイントを有する無線ＬＡＮシステムにおいて、前記無線ＬＡＮ端末は、前記無線ＬＡＮアクセスポイントの電波強度が所定の閾値を下回るか否か監視し、前記電波強度の値が前記所定の閾値を下回った場合には前記無線ＬＡＮ端末に対して警告信号を送出する電波強度監視手段を含むことを特徴とする。
【００１１】
また、前記無線ＬＡＮ端末はＩＤ入力部を有し、該ＩＤ入力部は前記警告信号を受け前記無線ＬＡＮ端末の画面にユーザＩＤ入力画面を表示させる。
【００１２】
また、前記無線ＬＡＮ端末は警告音発生手段を有し、前記ＩＤ入力部は、前記所定の閾値を下回った場合であって前記ＩＤ入力部に前記ユーザＩＤの入力がなかった場合若しくはユーザＩＤと異なるＩＤが入力された場合にのみ前記警告音発生手段に警告音発生信号を送出し、前記警告音発生手段は当該警告音発生信号を受信すると激しい警告音を発生させる。
【００１３】
また、前記無線ＬＡＮアクセスポイントに接続された管理端末を有し、前記電波強度監視手段は、前記電波強度の値が前記所定の閾値を下回った場合、前記無線ＬＡＮアクセスポイントを介して前記管理端末に対して盗難警告通知信号を送出する。
【００１４】
本発明の第２の態様による無線ＬＡＮ端末盗難防止方法は、無線ＬＡＮ端末と、該無線ＬＡＮ端末と無線ＬＡＮネットワークで接続された無線ＬＡＮアクセスポイントを有する無線ＬＡＮシステムにおける無線ＬＡＮ端末盗難防止方法において、前記無線ＬＡＮアクセスポイントの電波強度が所定の閾値を下回るか否か監視するステップと、前記電波強度の値が前記所定の閾値を下回った場合には前記無線ＬＡＮ端末に対して警告信号を送出するステップを有することを特徴とする。
【００１５】
また、前記無線ＬＡＮ端末のＩＤ入力部が前記警告信号を受けると前記無線ＬＡＮ端末の画面にユーザＩＤ入力画面を表示させるステップを有する。
【００１６】
また、前記所定の閾値を下回った場合であって、前記ＩＤ入力部に、前記ユーザＩＤの入力がなかった場合若しくは前記ユーザＩＤと異なるＩＤが入力された場合にのみ前記警告音発生信号を送出するステップと、前記警告音発生信号を受信すると激しい警告音を発生させるステップを有する。
【００１７】
また、前記電波強度の値が前記所定の閾値を下回った場合、前記無線ＬＡＮアクセスポイントを介して管理端末に盗難警告通知信号を送出するステップを有する。
【発明の効果】
【００１８】
本発明によれば、盗難が発生したことはもとより盗難を抑止することも可能となり、セキュリティ向上が可能となる。以下具体的に述べる。
【００１９】
本発明によれば、不正ユーザが無線ＬＡＮ端末を持ち出そうとエリアの外へ出ようとすると警告音が発生するため、誰がどこで盗難使用としているかの判断が可能となる。
【００２０】
また本発明によれば、管理端末での監視のみではなく、無線ＬＡＮ端末自身が警告音を発生するためその場で犯人の特定できる。
【００２１】
また本発明によれば、使用エリア外の使用禁止エリアを建物の外に加えて、建物の出入り口も禁止エリアとした場合、盗難行為で出入り口付近に近づくだけで警告するため盗難防止となる。
【発明を実施するための最良の形態】
【００２２】
次に、本発明の一実施の形態について図面を参照して詳細に説明する。本発明に係る無線ＬＡＮ端末盗難防止システムの構成を図１に表す。無線ＬＡＮ端末１は無線ＬＡＮアクセスポイント４に接続しネットワークに接続可能な無線ＬＡＮを有している。また、無線ＬＡＮ端末１は電波強度監視部２を有し、無線ＬＡＮアクセスポイント５からの電波強度を常に監視し、電波強度がある閾値を下回るかの監視をしている。また、電波強度監視部２はある閾値を下回った場合に、警告音発生機３に警告音発生信号を送出する。警告音発生機３は警告音発生信号を受けると警告音を発生させる。また、警告音発生機３は警告音発生と同時に無線ＬＡＮアクセスポイント５を介して管理端末６に盗難発生の可能性があることを示す盗難発生通知信号を送出する。また、電波強度監視部２は持ち運んでいるユーザへ不正者であるかの判断としてＩＤを入力させるためにＩＤ入力部４を有する。
【００２３】
無線ＬＡＮアクセスポイント５は無線ＬＡＮ端末１を無線ＬＡＮネットワークに接続するための無線ＬＡＮアクセスポイントである。管理端末６は無線ＬＡＮ端末１の有無を管理する機能を有する。
【００２４】
（動作の説明）
無線ＬＡＮ端末１の電波強度監視部２は無線ＬＡＮアクセスポイント５からの電波強度を常に監視しており、電波強度の値があらかじめ設定された閾値を下回るかの監視をする。この閾値は無線ＬＡＮ使用エリアをあらかじめ調査しておき、使用を許可するエリアと許可しないエリアの電波強度を測定して所定の閾値を設定する。この閾値を下回った場合は使用を許可されていない場所に無線ＬＡＮ端末が運ばれたと判断され、本システムは以下のように動作する。
【００２５】
電波強度監視部２は前記電波強度の値が前記閾値を下回るとＩＤ入力部４に警告信号を送信する。ＩＤ入力部４は警告信号を受信すると無線ＬＡＮ端末１の画面に前記警告表示及び／又はユーザＩＤの入力を促す旨の表示を画面表示させて、持ち運んでいるユーザにＩＤの入力を促す。なお、無線ＬＡＮ端末１の画面を使用しなくても例えばＬＥＤを発光させること等によってユーザに知らしめても良い。ここでユーザが無線ＬＡＮ端末１のキーボードからユーザＩＤの番号等、端末の正規のユーザであることを証明できるデータの入力を行うことによりに正規のユーザであるか否かの判断が行われる。入力されたユーザＩＤが本来のユーザＩＤと異なる場合、又はある一定時間内にユーザＩＤの入力が無かった場合には盗難と判断され、ＩＤ入力部４は警告音発生機３に警告音発生信号を送出し、警告音発生機３は前期警告音発生信号を受信すると激しい警告音を発生させる。
【００２６】
無線ＬＡＮアクセスポイント５には管理端末６が接続されている。電波強度監視部２は、前記電波強度の値が前記閾値を下回った場合、無線ＬＡＮアクセスポイント５を介して管理端末６に対して盗難警告通知信号を送出する。
【００２７】
また、上記した各実施の形態は、本発明を好適に実施した形態の一例に過ぎず、本発明は、その主旨を逸脱しない限り、種々変形して実施することが可能なものである。
【産業上の利用可能性】
【００２８】
本発明の活用例として、高いセキュリティを保持する必要がある秘密データを多く含んでいる企業で使用するパソコンや流通業で使用する品物の発注や棚卸しなどに使用する専用端末などに適用される。
【図面の簡単な説明】
【００２９】
【図１】本発明に係る無線ＬＡＮ端末盗難防止システムの構成を示した図である。
【符号の説明】
【００３０】
１    無線ＬＡＮ端末
２    電波強度監視部
３    警告音発生機
４    ＩＤ入力部
５    無線ＬＡＮアクセスポイント
６    管理端末
【図１】
2008219833.tif 000003